【手続補正書】
【提出日】平成23年2月25日(2011.2.25)
【手続補正１】
【補正対象書類名】特許請求の範囲
【補正対象項目名】全文
【補正方法】変更
【補正の内容】
【特許請求の範囲】
【請求項１】
複数の電極；および
螺旋状または渦巻状のイオンガイド領域を含む螺旋状イオンガイドであり、
前記複数の電極のそれぞれが、使用時にイオンが移送される１つ以上の開口を有し、
前記螺旋状イオンガイドが、前記複数の電極へＡＣ電圧またはＲＦ電圧を供給するよう配置および適合されたＡＣ電圧供給またはＲＦ電圧供給を含み、
前記複数の電極のうち隣接する電極は、前記螺旋状イオンガイド内に半径方向にイオンを閉じ込めるために、前記ＡＣ電圧または前記ＲＦ電圧の反対の位相に接続される螺旋状イオンガイド。
【請求項２】
前記螺旋状イオンガイドが、前記螺旋状イオンガイドの長さの少なくとも５％、１０％、１５％、２０％、２５％、３０％、３５％、４０％、４５％、５０％、５５％、６０％、６５％、７０％、７５％、８０％、８５％、９０％、９５％、または１００％に沿って、少なくともいくつかのイオンを駆り立てる、押し出す、駆動する、または前進駆動するために、１つ以上の過渡ＤＣ電圧または過渡ＤＣ電位あるいは１つ以上の過渡ＤＣ電圧または過渡ＤＣ電位波形を前記複数の電極の少なくともいくつかに印加するように配置および適合される過渡ＤＣ電圧手段をさらに含む、請求項１に記載の螺旋状イオンガイド。
【請求項３】
前記１つ以上の過渡ＤＣ電圧または過渡ＤＣ電位あるいは前記１つ以上の過渡ＤＣ電圧または過渡ＤＣ電位波形の振幅および／または速度を時間とともに変化、増加、または減少させるように配置および適合される、または、
前記１つ以上の過渡ＤＣ電圧または過渡ＤＣ電位あるいは前記１つ以上の過渡ＤＣ電圧または過渡ＤＣ電位波形の振幅および／または速度が、時間とともに一定割合で変化させられるか、段階的に変化させられるか、スキャンされるか、または直線的にもしくは非直線的に変化させられる手段をさらに含む、請求項２に記載の螺旋状イオンガイド。
【請求項４】
前記複数の電極の第１の側に備えられる第１の基板と、前記複数の電極の第２の側に備えられる第２の基板とをさらに含み、
前記第１の基板および前記第２の基板が、前記複数の電極により連結される請求項１〜３のいずれかに記載の螺旋状イオンガイド。
【請求項５】
前記第１の基板および／または前記第２の基板が、（ｉ）回路基板、（ｉｉ）プリント回路基板、（ｉｉｉ）非導電性基板、（ｉｖ）フェノール紙、（ｖ）ガラス繊維、（ｖｉ）プラスチック、（ｖｉｉ）ポリイミド、（ｖｉｉｉ）テフロン、（ｉｘ）セラミック、（ｘ）ラミネート、（ｘｉ）ＦＲ−２、（ｘｉｉ）ＦＲ−４、（ｘｉｉｉ）ＧＥＴＥＫ、（ｘｉｖ）ＢＴ−エポキシ、（ｘｖ）シアン酸エステル、（ｘｖｉ）パイララックス、および（ｘｖｉｉ）ポリテトラフルオロエチレン（「ＰＴＦＥ」）からなる群から選択される材料から形成される、請求項４に記載の螺旋状イオンガイド。
【請求項６】
前記螺旋状イオンガイドの前記螺旋状または渦巻き状の経路に沿って測定した前記イオンガイド領域の長さが、（ｉ）＜１０ｃｍ、（ｉｉ）１０〜２０ｃｍ、（ｉｉｉ）２０〜３０ｃｍ、（ｉｖ）３０〜４０ｃｍ、（ｖ）４０〜５０ｃｍ、（ｖｉ）５０〜６０ｃｍ、（ｖｉｉ）６０〜７０ｃｍ、（ｖｉｉｉ）７０〜８０ｃｍ、（ｉｘ）８０〜９０ｃｍ、（ｘ）９０〜１００ｃｍ、（ｘｉ）１００〜１１０ｃｍ、（ｘｉｉ）１１０〜１２０ｃｍ、（ｘｉｉｉ）１２０〜１３０ｃｍ、（ｘｉｖ）１３０〜１４０ｃｍ、（ｘｖ）１４０〜１５０ｃｍ、（ｘｖｉ）１５０〜１６０ｃｍ、（ｘｖｉｉ）１６０〜１７０ｃｍ、（ｘｖｉｉｉ）１７０〜１８０ｃｍ、（ｘｉｘ）１８０〜１９０ｃｍ、（ｘｘ）１９０〜２００ｃｍ、（ｘｘｉ）２００〜２１０ｃｍ、（ｘｘｉｉ）２１０〜２２０ｃｍ、（ｘｘｉｉｉ）２２０〜２３０ｃｍ、（ｘｘｉｖ）２３０〜２４０ｃｍ、（ｘｘｖ）２４０〜２５０ｃｍ、（ｘｘｖｉ）２５０〜２６０ｃｍ、（ｘｘｖｉｉ）２６０〜２７０ｃｍ、（ｘｘｖｉｉｉ）２７０〜２８０ｃｍ、（ｘｘｉｘ）２８０〜２９０ｃｍ、（ｘｘｘ）２９０〜３００ｃｍ、（ｘｘｘｉ）３００〜３１０ｃｍ、（ｘｘｘｉｉ）３１０〜３２０ｃｍ、（ｘｘｘｉｉｉ）３２０〜３３０ｃｍ、（ｘｘｘｉｖ）３３０〜３４０ｃｍ、（ｘｘｘｖ）３４０〜３５０ｃｍ、（ｘｘｘｖｉ）３５０〜３６０ｃｍ、（ｘｘｘｖｉｉ）３６０〜３７０ｃｍ、（ｘｘｘｖｉｉｉ）３７０〜３８０ｃｍ、（ｘｘｘｉｘ）３８０〜３９０ｃｍ、（ｘｌ）３９０〜４００ｃｍ、（ｘｌｉ）４００〜４１０ｃｍ、（ｘｌｉｉ）４１０〜４２０ｃｍ、（ｘｌｉｉｉ）４２０〜４３０ｃｍ、（ｘｌｉｖ）４３０〜４４０ｃｍ、（ｘｌｖ）４４０〜４５０ｃｍ、（ｘｌｖｉ）４５０〜４６０ｃｍ、（ｘｌｖｉｉ）４６０〜４７０ｃｍ、（ｘｌｖｉｉｉ）４７０〜４８０ｃｍ、（ｘｌｉｘ）４８０〜４９０ｃｍ、（ｌ）４９０〜５００ｃｍ、および（ｌｉ）＞５００ｃｍからなる群から選択される、請求項１〜５のいずれかに記載の螺旋状イオンガイド。
【請求項７】
（ａ）前記ＡＣ電圧またはＲＦ電圧が、（ｉ）＜５０Ｖピーク・ツー・ピーク、（ｉｉ）５０〜１００Ｖピーク・ツー・ピーク、（ｉｉｉ）１００〜１５０Ｖピーク・ツー・ピーク、（ｉｖ）１５０〜２００Ｖピーク・ツー・ピーク、（ｖ）２００〜２５０Ｖピーク・ツー・ピーク、（ｖｉ）２５０〜３００Ｖピーク・ツー・ピーク、（ｖｉｉ）３００〜３５０Ｖピーク・ツー・ピーク、（ｖｉｉｉ）３５０〜４００Ｖピーク・ツー・ピーク、（ｉｘ）４００〜４５０Ｖピーク・ツー・ピーク、（ｘ）４５０〜５００Ｖピーク・ツー・ピーク、および（ｘｉ）＞５００Ｖピーク・ツー・ピークからなる群から選択される振幅を有し、かつ／または、
（ｂ）前記ＡＣ電圧またはＲＦ電圧が、（ｉ）＜１００ｋＨｚ、（ｉｉ）１００〜２００ｋＨｚ、（ｉｉｉ）２００〜３００ｋＨｚ、（ｉｖ）３００〜４００ｋＨｚ、（ｖ）４００〜５００ｋＨｚ、（ｖｉ）０．５〜１．０ＭＨｚ、（ｖｉｉ）１．０〜１．５ＭＨｚ、（ｖｉｉｉ）１．５〜２．０ＭＨｚ、（ｉｘ）２．０〜２．５ＭＨｚ、（ｘ）２．５〜３．０ＭＨｚ、（ｘｉ）３．０〜３．５ＭＨｚ、（ｘｉｉ）３．５〜４．０ＭＨｚ、（ｘｉｉｉ）４．０〜４．５ＭＨｚ、（ｘｉｖ）４．５〜５．０ＭＨｚ、（ｘｖ）５．０〜５．５ＭＨｚ、（ｘｖｉ）５．５〜６．０ＭＨｚ、（ｘｖｉｉ）６．０〜６．５ＭＨｚ、（ｘｖｉｉｉ）６．５〜７．０ＭＨｚ、（ｘｉｘ）７．０〜７．５ＭＨｚ、（ｘｘ）７．５〜８．０ＭＨｚ、（ｘｘｉ）８．０〜８．５ＭＨｚ、（ｘｘｉｉ）８．５〜９．０ＭＨｚ、（ｘｘｉｉｉ）９．０〜９．５ＭＨｚ、（ｘｘｉｖ）９．５〜１０．０ＭＨｚ、および（ｘｘｖ）＞１０．０ＭＨｚからなる群から選択される周波数を有する、請求項１〜６のいずれかに記載の螺旋状イオンガイド。
【請求項８】
（ａ）前記螺旋状イオンガイドが、１つ以上のＤＣ電圧を前記複数の電極に供給するように配置および適合されるデバイスをさらに含み、かつ／または、
（ｂ）前記螺旋状イオンガイドが、前記イオンガイドの長さの少なくとも５％、１０％、１５％、２０％、２５％、３０％、３５％、４０％、４５％、５０％、５５％、６０％、６５％、７０％、７５％、８０％、８５％、９０％、９５％、または１００％に沿って、ＤＣ電圧またはＤＣ電位勾配を維持するように配置および適合されるデバイスを含み、かつ／または、
（ｃ）前記螺旋状イオンガイドが、イオン入射口およびイオン出射口を含み、使用時に、非ゼロＤＣ電圧または非ゼロＤＣ電位勾配が、前記螺旋状イオンガイドの前記イオン入射口または入射領域と前記螺旋状イオンガイドの前記イオン出射口または出射領域との間に維持され、前記非ゼロＤＣ電圧または非ゼロＤＣ電位勾配が、前記イオン入射口から前記イオン出射口まで前記螺旋状イオンガイドを通ってイオンを駆り立てる、押し出す、駆動する、または前進駆動するように配置される、請求項１〜７のいずれかに記載の螺旋状イオンガイド。
【請求項９】
請求項１〜８のいずれかに記載の螺旋状イオンガイドを含み、イオンが、イオン移動度または電界強度に対するイオン移動度の変化率に従って、前記螺旋状イオンガイド内で分離されるように配置および適合されるイオン移動度セパレータまたはイオン移動度分光計。
【請求項１０】
請求項１〜８のいずれかに記載の螺旋状イオンガイドを含み、前記螺旋状イオンガイドが、（ｉ）衝突誘起解離（「ＣＩＤ」）フラグメンテーションデバイス、（ｉｉ）表面誘起解離（「ＳＩＤ」）フラグメンテーションデバイス、（ｉｉｉ）電子移動解離フラグメンテーションデバイス、（ｉｖ）電子捕獲解離フラグメンテーションデバイス、（ｖ）電子衝突または衝撃解離フラグメンテーションデバイス、（ｖｉ）光誘起解離（「ＰＩＤ」）フラグメンテーションデバイス、（ｖｉｉ）レーザ誘起解離フラグメンテーションデバイス、（ｖｉｉｉ）赤外放射誘起解離デバイス、（ｉｘ）紫外放射誘起解離デバイス、（ｘ）ノズル−スキマ間インターフェースフラグメンテーションデバイス、（ｘｉ）インソースフラグメンテーションデバイス、（ｘｉｉ）イオン源衝突誘起解離フラグメンテーションデバイス、（ｘｉｉｉ）熱または温度源フラグメンテーションデバイス、（ｘｉｖ）電界誘起フラグメンテーションデバイス、（ｘｖ）磁場誘起フラグメンテーションデバイス、（ｘｖｉ）酵素消化または酵素分解フラグメンテーションデバイス、（ｘｖｉｉ）イオン−イオン反応フラグメンテーションデバイス、（ｘｖｉｉｉ）イオン−分子反応フラグメンテーションデバイス、（ｘｉｘ）イオン−原子反応フラグメンテーションデバイス、（ｘｘ）イオン−準安定イオン反応フラグメンテーションデバイス、（ｘｘｉ）イオン−準安定分子反応フラグメンテーションデバイス、（ｘｘｉｉ）イオン−準安定原子反応フラグメンテーションデバイス、（ｘｘｉｉｉ）イオンを反応させて付加または生成イオンを形成するイオン−イオン反応デバイス、（ｘｘｉｖ）イオンを反応させて付加または生成イオンを形成するイオン−分子反応デバイス、（ｘｘｖ）イオンを反応させて付加または生成イオンを形成するイオン−原子反応デバイス、（ｘｘｖｉ）イオンを反応させて付加または生成イオンを形成するイオン−準安定イオン反応デバイス、（ｘｘｖｉｉ）イオンを反応させて付加または生成イオンを形成するイオン−準安定分子反応デバイス、および（ｘｘｖｉｉｉ）イオンを反応させて付加または生成イオンを形成するイオン−準安定原子反応デバイスからなる群から選択される衝突、反応またはフラグメンテーションデバイスの一部を形成する、衝突、反応またはフラグメンテーションデバイス。
【請求項１１】
（ｉ）請求項１〜８のいずれかに記載の螺旋状イオンガイド；または
（ｉｉ）請求項９に記載のイオン移動度セパレータまたはイオン移動度分光計；または
（ｉｉｉ）請求項１０に記載の衝突、フラグメンテーションまたは反応デバイス
をさらに含む質量分析計。
【請求項１２】
複数の電極と、螺旋状または渦巻状のイオンガイド領域とを含む螺旋状イオンガイドを準備する工程を含む、
イオンを螺旋状に案内する方法であって、
前記複数の電極のそれぞれが、使用時にイオンが移送される１つ以上の開口を有し、
前記方法が、前記複数の電極へＡＣ電圧またはＲＦ電圧を供給する工程であって、前記複数の電極のうち隣接する電極は、前記螺旋状イオンガイド内に半径方向にイオンを閉じ込めるために、前記ＡＣ電圧または前記ＲＦ電圧の反対の位相に接続される工程と、
前記複数の電極の各々における前記開口を通ってイオンを移送する工程
をさらに含む方法。
【請求項１３】
請求項１２に記載の方法を含み、イオンが、前記螺旋状イオンガイドを通って移送されるにつれて、イオン移動度または電界強度に対するイオン移動度の変化率に従って分離される、イオン移動度に従ってイオンを分離する方法。
【請求項１４】
請求項１２に記載の方法を含み、イオンが、前記螺旋状イオンガイドを通過するにつれて衝突、反応、またはフラグメンテーションされ、前記イオンガイドが、（ｉ）衝突誘起解離（「ＣＩＤ」）フラグメンテーションデバイス、（ｉｉ）表面誘起解離（「ＳＩＤ」）フラグメンテーションデバイス、（ｉｉｉ）電子移動解離フラグメンテーションデバイス、（ｉｖ）電子捕獲解離フラグメンテーションデバイス、（ｖ）電子衝突または衝撃解離フラグメンテーションデバイス、（ｖｉ）光誘起解離（「ＰＩＤ」）フラグメンテーションデバイス、（ｖｉｉ）レーザ誘起解離フラグメンテーションデバイス、（ｖｉｉｉ）赤外放射誘起解離デバイス、（ｉｘ）紫外放射誘起解離デバイス、（ｘ）ノズル−スキマ間インターフェースフラグメンテーションデバイス、（ｘｉ）インソースフラグメンテーションデバイス、（ｘｉｉ）イオン源衝突誘起解離フラグメンテーションデバイス、（ｘｉｉｉ）熱または温度源フラグメンテーションデバイス、（ｘｉｖ）電界誘起フラグメンテーションデバイス、（ｘｖ）磁場誘起フラグメンテーションデバイス、（ｘｖｉ）酵素消化または酵素分解フラグメンテーションデバイス、（ｘｖｉｉ）イオン−イオン反応フラグメンテーションデバイス、（ｘｖｉｉｉ）イオン−分子反応フラグメンテーションデバイス、（ｘｉｘ）イオン−原子反応フラグメンテーションデバイス、（ｘｘ）イオン−準安定イオン反応フラグメンテーションデバイス、（ｘｘｉ）イオン−準安定分子反応フラグメンテーションデバイス、（ｘｘｉｉ）イオン−準安定原子反応フラグメンテーションデバイス、（ｘｘｉｉｉ）イオンを反応させて付加または生成イオンを形成するイオン−イオン反応デバイス、（ｘｘｉｖ）イオンを反応させて付加または生成イオンを形成するイオン−分子反応デバイス、（ｘｘｖ）イオンを反応させて付加または生成イオンを形成するイオン−原子反応デバイス、（ｘｘｖｉ）イオンを反応させて付加または生成イオンを形成するイオン−準安定イオン反応デバイス、（ｘｘｖｉｉ）イオンを反応させて付加または生成イオンを形成するイオン−準安定分子反応デバイス、および（ｘｘｖｉｉｉ）イオンを反応させて付加または生成イオンを形成するイオン−準安定原子反応デバイスからなる群から選択される衝突、反応またはフラグメンテーションデバイスの一部を形成する、イオンの衝突、反応またはフラグメンテーション方法。
【請求項１５】
請求項１２〜１４のいずれかに記載の方法を含む質量分析の方法。